(57)【要約】【課題】ラックに搭載される電子機器の奥行の長さに係わらず、搭載された各電子機器に冷却用空気を供給することを可能とする。【解決手段】一対の側板と、底板３及び天井板４からなる箱体内の空間を底板３及び天井板４に平行に複数の棚板５により仕切ることにより垂直方向に電子機器６を収納するための複数の収納部７を形成し、かつ前記箱体の前面及び背面に扉を設けてなり、天井板４には換気扇８を有する電子機器用収納用ラックにおいて、少なくとも前面扉１０は、前面扉１０を閉じた際に複数の収納部７に収納された電子機器６と前面扉１０との間に冷却用空気通路１２Ｃとなる空間を形成する張出部１２を有し、換気扇８を駆動することにより冷却用空気通路１２Ｃを介して冷却用空気を通流させ、前記電子機器に冷却用空気を供給する。【選択図】　　　図２
2004039675.tif 000002
【特許請求の範囲】
【請求項１】
一対の側板と、底板及び天井板からなる箱体内の空間を前記底板及び天井板に平行に複数の棚板により仕切ることにより垂直方向に電子機器を収納するための複数の収納部を形成し、かつ前記箱体の前面及び背面に扉を設けてなり、前記天井板には換気扇を有する電子機器用収納用ラックにおいて、
少なくとも前記前面扉は、該前面扉を閉じた際に前記複数の収納部に収納された電子機器と前記前面扉との間に冷却用空気通路となる空間を形成する張出部を有し、前記換気扇を駆動することにより前記冷却用空気通路を介して冷却用空気を通流させ、前記電子機器に冷却用空気を供給することを特徴とする電子機器用ラック。
【請求項２】
前記背面扉には、配線用通路と冷却用空気通路とを共用する空間を形成する張出部を有することを特徴とする請求項１に記載の電子機器用ラック。
【請求項３】
前記張出部の上端部及び下端部をテーパ状に形成したことを特徴とする請求項１または２のいずれかに記載の電子機器用ラック。
【発明の詳細な説明】
【０００１】
【発明の属する技術分野】
本発明は、情報処理機器等の電子機器を収納するための電子機器収納用ラックに関する。
【０００２】
【従来の技術】
ＩＴ時代の到来と共に、情報流通拠点としてデータセンタが注目されている。そこで使用される大量のサーバやルータ等の情報処理機器は、電子機器収納用ラックに収納された状態で使用され、管理されるようになっている。
このように、種々の電子機器を収納する電子機器収納用ラックは、システムの中枢を支える重要な機器であるといえる。
【０００３】
【発明が解決しようとする課題】
従来の電子機器収納用ラックを使用して各種電子機器を収納する場合に、例えば、規格化された、ほぼ同寸法のラックに、様々なメーカのサーバ機器やルータ機器を搭載している。奥行が長くない機器は問題がないが、奥行が長い機器では、ラックの前面扉及び背面扉との空間の確保が困難となり、搭載される機器の冷却に支障をきたす場合があるという問題が有った。
【０００４】
本発明はこのような事情に鑑みてなされたものであり、ラックに搭載される電子機器の奥行の長さに係わらず、搭載された各電子機器に冷却用空気を供給することができる電子機器収納用ラックを提供することを目的とする。
【０００５】
【課題を解決するための手段】
上記目的を達成するために請求項１に記載の発明は、一対の側板と、底板及び天井板からなる箱体内の空間を前記底板及び天井板に平行に複数の棚板により仕切ることにより垂直方向に電子機器を収納するための複数の収納部を形成し、かつ前記箱体の前面及び背面に扉を設けてなり、前記天井板には換気扇を有する電子機器用収納用ラックにおいて、少なくとも前記前面扉は、該前面扉を閉じた際に前記複数の収納部に収納された電子機器と前記前面扉との間に冷却用空気通路となる空間を形成する張出部を有し、前記換気扇を駆動することにより前記冷却用空気通路を介して冷却用空気を通流させ、前記電子機器に冷却用空気を供給することを特徴とする。
【０００６】
また、請求項２に記載の発明は、請求項１に記載の電子機器用ラックにおいて、前記背面扉は、配線用通路と冷却用空気通路とを共用する空間を形成する張出部を有することを特徴とする。
【０００７】
また、請求項３に記載の発明は、請求項１または２のいずれかに記載の電子機器用ラックにおいて、前記張出部の上端部及び下端部をテーパ状に形成したことを特徴とする。
【０００８】
【発明の実施の形態】
以下、本発明の実施形態を、図面を参照して詳細に説明する。本発明の実施形態の説明に先立ち、従来の電子機器収納用ラックの構造を図３及び図４を参照して説明する。図３は電子機器収納用ラックの正面図であり、図４は電子機器収納用ラック側面内における冷却空気の流れの様子を示す説明図である。これらの図において、電子機器収納用ラック１０は、一対の側板１０２、１０２と、底板１０３及び天井板１０４からなる箱体内の空間を底板１０３及び天井板１０４に平行に複数の棚板１０５により仕切ることにより垂直方向に電子機器を収納するための複数の収納部１０７が形成され、これらの収納部１０７には情報処理装置等の電子機器１０６が収納されている。
【０００９】
また、上記箱体の前面及び背面には前面扉１００、背面扉２００を有し、天井板１０４には換気扇１０８、１０８を有している。前面扉１００はラック内部を見通せるように一部がアクリル板等の透明板１００Ａにより形成されている。
この前面扉１００及び背面扉２００は、平板状に形成されており、閉じた時に収納部１０７に収納された電子機器１０６の奥行が長い場合には電子機器１０６と、前面扉１００及び背面扉２００との間における冷却用空気通路となる空間を確保するのが困難になり、収納された電子機器１０６の冷却に支障をきたす場合があった。なお、図４中、矢印は冷却空気の流れを示している。
【００１０】
次に、本発明の実施形態に係る電子機器収納用ラックの構造を図１及び図２を参照して説明する。これらの図において、本発明の実施形態に係る電子機器収納用ラック１は、一対の側板２、２と、底板３及び天井板４からなる箱体内の空間を底板３及び天井板４に平行に複数の棚板５により仕切ることにより垂直方向に電子機器６を収納するための複数の収納部７が形成され、この複数の収納部７には、情報処理装置等の電子機器６が収納されている。
【００１１】
上記箱体の前面及び背面には、前面扉１０及び背面扉２０を有し、天井板４には換気扇８、８を有している。また、前面扉１０は、前面扉１０を閉じた際に複数の収納部７に収納された電子機器６と、前面扉１０との間に冷却用空気通路となる空間を形成する張出部１２を有している。
また、背面扉２０は、配線用通路と冷却用空気通路とを共用する空間を形成する張出部２２を有している。
【００１２】
前面扉１０及び背面扉２０の張出部１２、２２における上端部１２Ａ、２２Ａ，下端部１２Ｂ、２２Ｂは、テーパ状に形成されている。ここで、前面扉１０及び背面扉２０の張出部１２、２２における上端部１２Ａ、２２Ａをテーパ状に形成したのは、収納部７に収納した電子機器６と前面扉１０との間に形成される冷却用空気通路１２Ｃと、収納部７に収納した電子機器６と背面扉２０との間に形成されている冷却用空気通路（配線用通路を兼用）２２Ｃとにおいて冷却用空気の通流を良好にするためである。
【００１３】
また、前面扉１０及び背面扉２０の張出部１２、２２における下端部１２Ｂ、２２Ｂをテーパ状に形成したのは、ラックが設置された通路を通る通路歩行者または保守者が前面扉１０または、背面扉２０に接触した場合に負傷しないように足下の安全性を確保するためである。
さらに、図１に示すように、張出部１２の前面扉１０の端部からの距離Ｘ１は、前面扉１０を開放時に隣接するラックに接触しないように、十分な長さをとるようにし、かつ張出部１２の水平方向の幅Ｘ２は、前面扉１０を開放時に隣接するラックに接触しないような幅とする。
【００１４】
さらに、張出部１２の張出寸法Ｙは、前面扉１０を開放時に隣接するラックに接触しないようにし、かつラック内の冷却効果が十分に得られるような寸法とする。例えば、張出寸法Ｙは１００ｍｍ程度にすると冷却効果が十分に得られることが実験により確認されている。
また、背面扉２０の張出部２２の各寸法についても上述した前面扉１０と同様である。
【００１５】
上記構成において、換気扇８、８を駆動することにより冷却用空気は、図２において矢印で示すようにラック１の下部から吸入された冷却用空気は、前面扉１０、背面扉２０の張出部１２、２２における冷却用空気通路１２Ｃ、２２Ｃを介してラック内の上方及び収納部７の水平方向に分岐して収納部７に収納された電子機器６からの発熱を奪いながら、上方に移動するように通流し、換気扇８、８により天井板４から外部に排出される。
なお、本実施形態では、ラック１の前面扉１０及び背面扉２０の両方に張出部を設けたが、前面扉１０のみに張出部を設けるようにしてもよい。
【００１６】
以上に説明したように、本発明の実施形態に係る電子機器収納用ラックによれば、少なくとも前面扉は、該前面扉を閉じた際に複数の収納部に収納された電子機器と前面扉との間に冷却用空気通路となる空間を形成する張出部を有し、天井板に設けられた換気扇を駆動することにより張出部により形成された冷却用空気通路を介して冷却用空気を通流させ、前記電子機器に冷却用空気を供給するようにしたので、ラックに搭載される電子機器の奥行の長さに係わらず、搭載された各電子機器に冷却用空気を供給することができる。
【００１７】
また、本発明の実施形態に係る電子機器収納用ラックによれば、張出部１２、または張出部２２の上端部１２Ａ，２２Ａ及び下端部１２Ｂ，２２Ｂをテーパ状に形成したので、冷却用空気の通流を良好にすることが出来ると共に、ラックが設置された通路を通る通路歩行者または保守者が前面扉１０または、背面扉２０に接触した場合に負傷しないように足下の安全性を確保することができる。
【００１８】
【発明の効果】
本発明に係る電子機器収納用ラックによれば、少なくとも前面扉は、該前面扉を閉じた際に複数の収納部に収納された電子機器と前記前面扉との間に冷却用空気通路となる空間を形成する張出部を有し、天井板に設けられた換気扇を駆動することにより張出部により形成された冷却用空気通路を介して冷却用空気を通流させ、前記電子機器に冷却用空気を供給するようにしたので、ラックに搭載される電子機器の奥行の長さに係わらず、搭載された各電子機器に冷却用空気を供給することができる。
【図面の簡単な説明】
【図１】本発明の実施形態に係る電子機器収納用ラックの構造を示し、その正面図並びに、前面扉の側面図及び平面図。
【図２】図１に示した電子機器収納用ラック側面内における冷却空気の流れの様子を示す説明図。
【図３】従来の電子機器収納用ラックの構造を示し、その正面図並びに、前面扉の側面図及び平面図。
【図４】図３に示した電子機器収納用ラック側面内における冷却空気の流れの様子を示す説明図。
【符号の説明】
１…電子機器収納用ラック、２…側板、３…底板、４…天井板、５…棚板、６…電子機器、７…収納部、８…換気扇、１０…前面扉、１２、２２…張出部、１２Ａ、２２Ａ…上端部、１２Ｂ，２２Ｂ…下端部、１２Ｃ、２２Ｃ…冷却空気用通路
【図１】
2004039675.tif 000003
【図２】
2004039675.tif 000004
【図３】
2004039675.tif 000005
【図４】
2004039675.tif 000006